(57)【要約】【課題】配線を設ける領域を自由に決めることができ、額縁領域を狭く形成でき、しかも入力基板の材料を広い種類の物質から選択できるタッチパネルを提供する。【解決手段】入力のために押圧される入力基板２と、入力基板２に対向して配置された対向基板３と、対向基板３の入力基板２に対向する面に設けられた発信子７ｘ，７ｙと、対向基板３の入力基板２に対向する面に設けられた受信子８ｘ，８ｙと、入力基板２の対向基板３に対向する面に設けられた配線１９と、対向基板３上の端子１５と入力基板２上の配線１９とを接続する導通材２１とを有するタッチパネル１である。素子７ｘ，７ｙ，８ｘ，８ｙと配線１９とが別々の基板上に設けられるので、配線１９の位置を自由に決められ、額縁領域を狭く形成できる。表面弾性波は対向基板３に形成されるので、入力基板２は薄いガラスでなく樹脂フィルムで形成できる。【選択図】図１
2007264688.tif 000002
【特許請求の範囲】
【請求項１】
観察側に配置されてなり、入力のために押圧される入力基板と、
該入力基板に対向して配置された対向基板と、
該対向基板の前記入力基板に対向する面に設けられた発信子と、
前記対向基板の前記入力基板に対向する面に設けられた受信子と、
前記対向基板に設けられてなり、前記発信子又は前記受信子の少なくとも一方と電気的
に接続されてなる端子と、
前記入力基板の前記対向基板に対向する面に設けられてなる配線と、
前記端子と前記配線とを接続する導通材と、
を有することを特徴とするタッチパネル。
【請求項２】
請求項1記載のタッチパネルにおいて、
前記対向基板に設けられた外部接続端子と、
前記配線と前記外部接続端子とを接続する第２の導通材と、
を有することを特徴とするタッチパネル。
【請求項３】
請求項１又は請求項２記載のタッチパネルにおいて、前記配線を覆う絶縁性の樹脂膜を
前記入力基板の表面に設けたことを特徴とするタッチパネル。
【請求項４】
請求項１から請求項３のいずれか１つに記載のタッチパネルにおいて、前記対向基板は
ガラス基板であり、前記入力基板は樹脂膜であることを特徴とするタッチパネル。
【請求項５】
請求項１から請求項３のいずれか１つに記載のタッチパネルにおいて、前記対向基板は
ガラス基板であり、前記入力基板は偏光板あることを特徴とするタッチパネル。
【請求項６】
請求項１から請求項５のいずれか１つに記載のタッチパネルにいおいて、
前記対向基板の表面に設けられ前記発信子から出た信号波を前記受信子へ向ける信号波
変向部材をさらに有し、
前記入力基板の表面に設けられた前記配線は前記信号波変向部材と平面的に見て重なる
ことを特徴とするタッチパネル。
【請求項７】
請求項１から請求項６のいずれか１つに記載のタッチパネルを有することを特徴とする
電気光学装置。
【請求項８】
請求項７記載の電気光学装置において、前記入力基板は樹脂から成る偏光板であること
を特徴とする電気光学装置。
【請求項９】
請求項７又は請求項８記載の電気光学装置を有することを特徴とする電子機器。
【発明の詳細な説明】
【技術分野】
【０００１】
本発明は、平面領域内で触れられた位置を検出するタッチパネルに関する。また、本発
明は、そのタッチパネルを用いて構成される電気光学装置に関する。また、本発明は、そ
の電気光学装置を用いて構成される電子機器に関する。
【背景技術】
【０００２】
現在、ＰＤＡ（パーソナル・デジタル・アシスタント）、パームトップコンピュータ等
といった電子機器に液晶表示装置等といった電気光学装置が広く用いられている。例えば
、電子機器の各種情報を画像として表示するために電気光学装置が用いられている。また
、現在、電子機器の制御演算部へ情報を入力するための入力装置を電子機器に付設するこ
とが行われている。この入力装置としてタッチパネルが知られている。
【０００３】
このタッチパネルとして、ＳＡＷ（Surface Acoustic Wave：表面弾性波）方式のもの
が知られている（例えば、特許文献１参照）。この方式のタッチパネルでは、基板の表面
上に発信子と受信子とを設け、発信子から発生した信号波である表面弾性波を受信子で受
信する状態を作った上で、表面弾性波の変化を検知することにより、平面内の位置を検知
している。
【０００４】
【特許文献１】特開２００３−３４５５０４（第４頁、図１）
【発明の開示】
【発明が解決しようとする課題】
【０００５】
特許文献１に開示されたタッチパネルでは、発信子と制御機器との間及び受信子と制御
機器との間で信号の授受を行うためにタッチパネルの基板の表面に配線が設けられている
。そしてこの従来のタッチパネルの場合、配線は発信子等が設けられた基板と同じ基板上
に設けられている。また、配線は、入力操作が行われる領域である入力領域の外側の周辺
領域、いわゆる額縁領域に設けられている。配線と発信子等が同じ基板上に設けられてい
た従来のタッチパネルにおいては、配線を設ける領域が狭く限定されるという問題がある
。また、配線を設けるために広い額縁領域が必要なため、タッチパネルを小型にすること
が難しいという問題がある。
【０００６】
他方、特願２００５−１６７８４２に、発信子等と配線とを別々の基板上に設ける構成
を備えたタッチパネルが開示されている。この構成は配線を設ける領域を自由に決めるこ
とができるという利点を有する。ここに示されたタッチパネルでは、発信子等が入力基板
上に設けられ、配線が対向基板上に設けられている。発信子等によって形成される信号波
は硬い物質でないと良好な伝播特性が得られないので、特願２００５−１６７８４２のタ
ッチパネルでは、発信子等が設けられる基板、すなわち入力操作が行われる入力基板をガ
ラスによって形成せざるを得ない。周知の通りガラスは破損し易いので、製造上及び使用
上において取り扱いが難しい。
【０００７】
本発明は、上記の問題点に鑑みて成されたものであって、配線を設ける領域を自由に決
めることができ、額縁領域を狭く形成でき、しかも入力基板の材料を広い種類の物質から
選択できるタッチパネル、電気光学装置、及び電子機器を提供することを目的とする。
【課題を解決するための手段】
【０００８】
本発明に係るタッチパネルは、観察側に配置されてなり、入力のために押圧される入力
基板と、該入力基板に対向して配置された対向基板と、該対向基板の前記入力基板に対向
する面に設けられた発信子と、前記対向基板の前記入力基板に対向する面に設けられた受
信子と、前記対向基板に設けられてなり、前記発信子又は前記受信子の少なくとも一方と
電気的に接続されてなる端子と、前記入力基板の前記対向基板に対向する面に設けられて
なる配線と、前記端子と前記配線とを接続する導通材とを有することを特徴とする。
【０００９】
上記構成において、発信子は信号波として、例えば表面弾性波を発信する。表面波とは
、２つの異なった媒質間の境界に沿ってエネルギーを放射することなく伝搬する波のこと
である。そして、伝播する波が音波であり、伝播する媒質が固体である場合、その音波は
固体の表面に束縛されており、この場合の音波が表面弾性波である。
【００１０】
また、上記の入力操作は、例えば、入力手段によってタッチパネルの表面に適宜の圧力
で触れることである。入力手段としては、例えば、入力を行うオペレータの指や入力器具
であるタッチペン等が考えられる。また、導通材としては、例えば、導電性材料によって
形成された導通粒子や、銀ペーストを用いることができる。この導通材は、導通が必要な
個所に局所的に配置される。また、配線は前記発信子に接続される配線及び前記受信子に
接続される配線とすることができる。
【００１１】
上記構成より成る本発明に係るタッチパネルによれば、発信子及び受信子が設けられる
基板と配線が設けられる基板とが別々の基板であるので、配線を設ける領域を発信子等に
邪魔されること無く自由に決めることができ、しかもタッチパネルの額縁領域を狭くする
ことができる。また、発信子によって励振される信号波は対向基板上を伝播し、入力操作
が行われる入力基板上を伝播するのではないので、入力基板の材料はガラス等といった硬
質材料に限られず、広い範囲の物質を材料とすることができる。例えば、入力基板を樹脂
によって形成できる。
【００１２】
次に、本発明に係るタッチパネルは、前記対向基板に設けられた外部接続端子と、前記
配線と前記外部接続端子とを接続する第２導通材とを有することが望ましい。一般に入力
基板は、入力操作時に必要量だけ撓まなければならないので、可撓性を有する材料によっ
て形成されなくてはならない。この可撓性を有する基板に外部接続端子を設けた上で、そ
の外部接続端子にＦＰＣ（Flexible Printed Circuit）基板を接続することは、作製が難
しく、取り扱いも難しい。これに対し、本発明態様のように、外部接続端子を対向基板上
に設けることにすれば、対向基板は可撓性を有する必要は無いので、外部接続端子にＦＰ
Ｃ基板を接続する処理を簡単且つ確実に行うことができる。
【００１３】
次に、本発明に係るタッチパネルにおいては、前記配線を覆う絶縁性の樹脂膜を前記入
力基板の表面に設けることが望ましい。この構成により、対向基板上に設けられる発信子
等といった信号波形成要素と、入力基板上の配線とが短絡することを樹脂膜によって防止
できる。
【００１４】
次に、本発明に係るタッチパネルにおいて、前記対向基板をガラス基板によって形成し
、前記入力基板を樹脂膜によって形成することができる。また、記対向基板をガラス基板
によって形成し、前記入力基板を偏光板によって形成することができる。入力基板の表面
に信号波を形成する場合には、その入力基板をガラス基板等といった硬質の物質によって
形成しなければならない。ガラス基板等は破損し易い物質であるので取り扱いが難しい。
ガラス基板等に代えて樹脂膜を用いることにすれば、製造上及び使用上のタッチパネルの
取り扱いが容易になる。また、入力基板を偏光板によって形成すれば、この偏光板を電気
光学装置である液晶表示装置のための光学要素としての偏光板として用いることができる
。
【００１５】
次に、本発明に係るタッチパネルは、前記対向基板の表面に設けられ前記発信子から出
た信号波を前記受信子へ向ける信号波変向部材を有することができる。そしてその場合、
前記入力基板の表面に設けられた前記配線は前記信号波変向部材と平面的に見て重なるこ
とが望ましい。こうすれば、信号波変向部材によって囲まれる領域内に形成される入力領
域の外側の周辺領域である額縁領域を狭くすることができる。
【００１６】
次に、本発明に係る電気光学装置は、以上の構成のタッチパネルを有することを特徴と
する。この電気光学装置としては、例えば、液晶表示装置、ＥＬ（Electro Luminescence
）装置、プラズマディスプレイ等を用いることができる。
【００１７】
本発明に係るタッチパネルは額縁領域を狭くすることができるので、本発明に係るタッ
チパネルは小型の電気光学装置に対して好適に用いることができる。また、本発明に係る
タッチパネルの入力基板は、ガラス等といった硬質材料を薄く形成して可撓性を持たせる
という構成に限定されること無く、樹脂その他の可撓性物質を用いることができるので、
製造が簡単であり、取り扱いも容易である。従って、そのようなタッチパネルを用いて構
成される電気光学装置も製造が簡単であり、取り扱いも容易である。
【００１８】
次に、本発明に係る電子機器は、上記構成の電気光学装置を用いることを特徴とする。
この電子機器としては、例えば、ＰＤＡ、パームトップコンピュータ、携帯情報端末機等
を用いることができる。
【００１９】
本発明に係る電気光学装置は額縁領域の狭い小型の電気光学装置であるので、これを用
いた電子機器も小型に形成できる。また、本発明に係る電気光学装置は製造が簡単であり
、取り扱いも容易であるので、これを用いた電子機器も製造が簡単であり、取り扱いも容
易である。
【発明を実施するための最良の形態】
【００２０】
以下、本発明に係るタッチパネルを実施形態に基づいて説明する。なお、本発明がこの
実施形態に限定されないことはもちろんである。また、これからの説明では必要に応じて
図面を参照するが、この図面では、複数の構成要素から成る構造のうち重要な構成要素を
分かり易く示すため、各要素を実際とは異なった相対的な寸法で示す場合がある。
【００２１】
図１は、本発明に係るタッチパネルの一実施形態の長手側の側面断面構造を示している
。図２は、図１のＺ１−Ｚ１線に従ったタッチパネルの平面断面構造を矢印Ｂ方向から見
た状態を示している。図１は、図２のＺ２−Ｚ２線に従った断面構造に相当する。図３は
、図２のＺ３−Ｚ３線に従ってタッチパネルの短手側の側面断面構造を示している。
【００２２】
図１において、本実施形態に係るタッチパネル１は、入力操作のために押圧される入力
基板２と、入力基板２に対向して配置された対向基板３とを有する。オペレータは矢印Ａ
で示す方向から入力基板２に対して入力操作を行う。入力基板２と対向基板３は、矢印Ａ
方向から見て四角形状（本実施形態の場合は長方形状）で環状の接着材４によって貼り合
わされている。入力基板２と対向基板３との間隔は複数のスペーサ６によって保持されて
いる。
【００２３】
入力基板２は、例えば可撓性を有する樹脂フィルムによって形成されている。対向基板
３は、例えば容易には撓まないガラス（例えば、約０．５ｍｍの厚さのガラス）によって
形成されている。スペーサ６は、例えば、感光性樹脂をフォトリソグラフィ処理によって
パターニングすることによって柱状に形成されている。スペーサ６は、円柱状又は多角柱
状に形成されている。
【００２４】
対向基板３の入力基板２に対向する表面上に、Ｘ発信子７ｘ、Ｙ発信子７ｙ、Ｘ受信子
８ｘ、Ｙ受信子８ｙが設けられている。図２に示すように、Ｘ発信子７ｘとＹ発信子７ｙ
とは対向基板３の対角位置に配置されている。Ｘ受信子８ｘ及びＹ受信子８ｙは対向基板
３の１つの角部に配置されている。
【００２５】
Ｘ発信子７ｘ及びＹ発信子７ｙは、超音波を発生する要素であり、例えば酸化亜鉛（Ｚ
ｎＯ）等から成る圧電体の表面に、例えばアルミニウム（Ａｌ）等から成るすだれ状又は
櫛歯状の電極を設けて成る圧電素子によって形成されている。電極に所定の電圧を印加す
ることにより、圧電体が振動して超音波が発生する。Ｘ発信子７ｘ及びＹ発信子７ｙから
発生した超音波は表面波となって対向基板３の表面を伝播する。この伝播する表面波は表
面弾性波と呼ばれている。本実施形態では、図１及び図３に示すように、表面弾性波Ｗは
対向基板３の表面に形成される。なお、符号Ｗで示す波形は表面弾性波を模式的に示すも
のであり、実際の表面弾性波の状態を正確に示すものではない。
【００２６】
Ｘ受信子８ｘ及びＹ受信子８ｙは、超音波を受信する要素であり、発信子７ｘ，７ｙと
同じ構成を有する。すなわち、Ｘ受信子８ｘ及びＹ受信子８ｙも、例えば酸化亜鉛（Ｚｎ
Ｏ）等から成る圧電体の表面に、例えばアルミニウム（Ａｌ）等から成るすだれ状又は櫛
歯状の電極を配設して成る圧電素子によって形成されている。圧電体が表面弾性波を受け
たときその圧電体を挟む電極に電圧が発生する。
【００２７】
Ｘ発信子７ｘ及びＹ発信子７ｙには発信制御回路９が接続され、この発信制御回路９に
より各発信子７ｘ，７ｙに所定の電圧信号が送られる。また、Ｘ受信子８ｘ及びＹ受信子
８ｙには位置検出回路１１が接続され、各受信子８ｘ，８ｙの出力信号がこの位置検出回
路１１へ送られる。位置検出回路１１は送られた信号に基づいて入力位置を演算によって
求める。
【００２８】
環状の接着材４の内側の周囲領域であって、発信子７ｘ、７ｙと受信子８ｘ，８ｙとの
間の領域に、信号波変向部材としての反射部材列１２ａ，１２ｂ，１２ｃ，１２ｄが設け
られている。これらの反射部材列は個々の反射部材を互いに平行に直線状に並べることに
よって形成されている。これらの反射部材列１２ａ，１２ｂ，１２ｃ，１２ｄによって囲
まれた領域Ａ０はオペレータが入力操作を行う入力領域である。反射部材列１２ａ，１２
ｂ，１２ｃ，１２ｄは、例えば、光反射性材料をフォトエッチング処理によってパターニ
ングすることによって対向基板３の表面上に形成される。
【００２９】
Ｘ発信子７ｘに付属する反射部材列１２ａはＸ発信子７ｘによって励振されてＹ方向へ
伝播した表面弾性波をＸ方向へ変向する。これにより、入力領域Ａ０の全面にＸ方向へ進
行する表面弾性波が形成される。Ｘ受信子８ｘに付属する反射部材列１２ｃはＸ方向へ進
行した表面弾性波をＹ方向へ変向させてＸ受信子８ｘへ送り込む。Ｘ発信子７ｘから発生
した表面弾性波のうちＸ発信子７ｘに近い領域にある表面弾性波は短時間でＸ受信子８ｘ
に受信され、Ｘ発信子７ｘから遠い領域にある表面弾性波は長時間の後にＸ受信子８ｘに
受信される。
【００３０】
同様に、Ｙ発信子７ｙに付属する反射部材列１２ｂはＹ発信子７ｙによって励振されて
Ｘ方向へ伝播した表面弾性波をＹ方向へ変向する。これにより、入力領域Ａ０の全面にＹ
方向へ進行する表面弾性波が形成される。Ｙ受信子８ｙに付属する反射部材列１２ｄはＹ
方向へ進行した表面弾性波をＸ方向へ変向させてＹ受信子８ｙへ送り込む。Ｙ発信子７ｙ
から発生した表面弾性波のうちＹ発信子７ｙに近い領域にある表面弾性波は短時間でＹ受
信子８ｙに受信され、Ｙ発信子７ｙから遠い領域にある表面弾性波は長時間の後にＹ受信
子８ｙに受信される。
【００３１】
図４は、図１のＺ１−Ｚ１線に従って対向基板３上の配線及び端子構造を示している。
また、図５は、図１の矢印Ａに従って入力基板２上の配線及び端子構造を示している。図
５では、配線構造等を分かり易く示すために、配線構造等を実線で示し、入力基板２等は
仮想線で示している。
【００３２】
図４に示す対向基板３において、発信子７ｘ及び７ｙの近傍にそれらの入力端子１５が
適宜のパターニング手法によって形成されている。また、受信子８ｘ及び８ｙの近傍にも
それらの入力端子１５が適宜のパターニング手法によって形成されている。各素子と各入
力端子との間は短い配線によってつながれている。また、環状接着材４の外側の対向基板
３の周縁領域であって、受信子８ｘ及び８ｙの近傍の領域に、外部接続端子１３が適宜の
パターニング手法によって形成されている。例えば、これらの外部接続端子１３にＦＰＣ
（Flexible Printed Circuit）基板１４が実装される。ＦＰＣ基板１４の内部には配線１
６がプリントされており、ＦＰＣ基板１４が対向基板３に実装されたとき、それらの配線
１６が外部接続端子１３に接続する。
【００３３】
他方、図５に示す入力基板２において、対向側の発信子７ｘ及び７ｙに対応する位置の
近傍に端子１７が形成されている。また、対向側の受信子８ｘ及び８ｙに対応する位置の
近傍にも端子１７が形成されている。さらに、入力基板２の周縁部の位置であって、図４
において対向基板３の周縁部に設けた外部接続端子１３に対応する位置に、端子１８が形
成されている。そして、各端子１７と各端子１８との間に配線１９が形成されている。こ
れらの端子１７、端子１８、及び配線１９は、適宜のパターニング手法によって形成され
ている。配線１９は図１に示すように絶縁性樹脂膜２３によって覆われている。絶縁性樹
脂２３は本実施形態では入力基板２の表面の全域にわたって設けられているが、端子１７
，１８に対応する部分には設けられていない。つまり、端子１７，１８は樹脂膜２３に開
けられた開口部分から外部に露出する状態となっている。
【００３４】
図４に示す端子１５の上及び外部接続端子１３の上には、又は図５に示す端子１７の上
及び端子１８の上には、導通材２１（図１参照）、例えば導電粒子、銀ペーストが載せら
れる。図４に示す対向基板３と図５に示す入力基板２とを接着材４によって貼り合わせた
とき、図１に示すように、入力基板２上の端子１７と対向基板上の端子１５とが導通材２
１によって互いに接続される。導通材２１は図では細長い楕円体状に描かれているが、実
際は、球形又は球形に近い形状に形成されている。また、図４に示す外部接続端子１３と
図５に示す端子１８とが導通材２１によって互いに接続される。導通材２１によるこのよ
うな導電接続作用により、図４に示す対向基板３上の発信子７ｘ，７ｙ及び受信子８ｘ，
８ｙは、図５に示す入力基板２上の配線１９を介して、対向基板３自身の上に設けた外部
接続端子１３に導通している。
【００３５】
以下、図１に示す本実施形態のタッチパネル１の動作について説明する。
図２に示す発信制御回路９はＸ発信子７ｘとＹ発信子７ｙとを時系列的に交互に駆動す
る。Ｘ発信子７ｘを駆動するタイミングが到来すると、Ｘ発信子７ｘに電界が印加されて
Ｘ発信子７ｘのＹ方向の前方に表面波が励振される。この表面波は反射部材列１２ａによ
って順次に反射され、対向基板３の中央領域である入力領域Ａ０の全域にＸ方向に進む表
面波が形成される。この表面波は、反射部材列１２ａに対向する反射部材列１２ｃによっ
て反射されてＸ受信子８ｘに入力され、このＸ受信子８ｘは、電気信号を位置検出回路１
１へ出力する。このとき、Ｘ発信子７ｘに近い領域を通る表面波と遠い領域を通る表面波
とでは、表面波が伝わる距離が異なるために、Ｘ受信子８ｘに到達するまでの時間に差が
生じている。
【００３６】
ここで、図３に示すように、例えば、入力手段としての指２２によって点Ｐ０の位置で
入力基板２を押すと、入力基板２が点Ｐ０において撓んで曲がる。これにより、入力基板
２と対向基板３の互いに対向する表面が点Ｐ０において接触する。こうして入力基板２と
対向基板３とが接触すると、対向基板３の表面に形成された表面波のうち、点Ｐ０を通る
表面波が変化（例えば、減衰）し、その変化した表面波がＸ受信子８ｘに入力される。Ｘ
受信子８ｘは、入力された表面波を電気信号に変換して出力する。この電気信号は図２の
位置検出回路１１に入力され、この位置検出回路１１よって表面波の変化及び到達時間を
測定することができる。変化した表面波の到達時間は押圧された点Ｐ０の座標位置と相関
しているので、位置検出回路１１は押された点Ｐ０のＸ方向の位置を検出することができ
る。
【００３７】
一方、Ｙ発信子７ｙを駆動するタイミングが到来すると、Ｘ発信子７ｘに代えてＹ発信
子７ｙに電界が印加されてＹ発信子７ｙのＸ方向の前方に表面波が励振される。この表面
波は反射部材列１２ｂによって順次に反射される。そして、対向基板３の入力領域Ａ０の
全域にＹ方向に伝搬する表面波が形成される。この表面波は、反射部材列１２ｂに対向す
る反射部材列１２ｄによって反射されＹ受信子８ｙに入力され、このＹ受信子８ｙは電気
信号を位置検出回路１１へ出力する。このとき、Ｙ発信子７ｙに近い領域を通る表面波と
遠い領域を通る表面波とでは、表面波が伝わる距離が異なるために、Ｙ受信子８ｙに到達
するまでの時間に差が生じている。
【００３８】
ここで、図３に示すように、例えば、指２２等によって点Ｐ０の位置で入力基板２を押
すと、入力基板２が点Ｐ０において撓んで曲がる。これにより、入力基板２と対向基板３
の互いに対向する表面が点Ｐ０において接触する。入力基板２と対向基板３とが接触する
と、対向基板３の表面に形成された表面波のうち、点Ｐ０を通る表面波が変化（例えば、
減衰）し、その変化した表面波がＹ受信子８ｙに入力される。Ｙ受信子８ｙは、入力され
た表面波を電気信号に変換して出力する。この電気信号は図２の位置検出回路１１に入力
され、この位置検出回路１１によって表面波の変化及び到達時間を測定することができる
。変化した表面波の到達時間は押された点Ｐ０の座標位置と相関しているので、位置検出
回路１１は押圧された点Ｐ０のＹ方向の位置を検出することができる。
【００３９】
本実施形態の対向基板３は、比較的厚いガラスによって形成されているので、容易には
撓まない。これに対し、図１の入力基板２は、可撓性を有する樹脂フィルムによって形成
されているので、指２２によって押されたときに容易に撓むようになっている。これによ
り、指２２が入力基板２に必要な圧力で軽く触れただけでもその接触位置を正確に検知す
ることができる。
【００４０】
以上に説明したように、本実施形態によれば、発信子７ｘ，７ｙ及び受信子８ｘ，８ｙ
が設けられる対向基板３と、配線１９が設けられる入力基板２とが別々の基板であるので
、配線１９を設ける領域を発信子７ｘ，７ｙ等に邪魔されること無く自由に決めることが
でき、しかもタッチパネル１の額縁領域（図２の入力領域Ａ０の外側の周辺領域）を狭く
することができる。
【００４１】
また、発信子７ｘ，７ｙによって励振される表面弾性波は対向基板３上を伝播し、入力
操作が行われる入力基板２上を伝播するのではないので、入力基板２の材料はガラス等と
いった硬質材料に限られず、広い範囲の物質を材料とすることができる。これを受けて本
実施形態では、入力基板２を樹脂フィルムによって形成した。樹脂フィルムは薄いガラス
に比べて破損し難く、取り扱いが非常に容易である。
【００４２】
なお、入力基板２を樹脂フィルムによって形成することを考えた場合、樹脂フィルムと
して偏光板を選択することができる。特に、この偏光板として、電気光学装置である液晶
表示装置のための光学要素としての偏光板を選択すれば、本実施形態のタッチパネルを液
晶表示装置に付設する場合に好都合である。
【００４３】
また、本実施形態では、図４の対向基板３上の発信子７ｘ，７ｙの端子１５及び受信子
８ｘ，８ｙの端子１５に、図５の入力基板２上の配線１９を接続し、さらに配線１９の端
子１８を入力基板２の適所にまとめて配置させた。この状態で端子１８にＦＰＣ基板を実
装すれば、発信子７ｘ，７ｙ及び受信子８ｘ，８ｙの入出力端子をＦＰＣ基板を介して外
部回路へ接続できる。しかしながら、この場合には、可撓性を有する樹脂フィルムである
入力基板２にＦＰＣ基板が接続されることになるので、ＦＰＣ基板を含んだタッチパネル
１の全体の取り扱いが面倒になることが考えられる。
【００４４】
これに対し、本実施形態では、図４に示すようにガラスによって形成されていて容易に
は撓まない対向基板３上の適所に外部接続端子１３を設け、対向基板３と図５の入力基板
２とを接着材４によって互いに貼り合わせたときに、図５において入力基板２の適所にま
とめられた配線１９の端子１８を導通材２１（図１参照）によって外部接続端子１３に接
続することにした。これにより、発信子７ｘ，７ｙ及び受信子８ｘ，８ｙに対する信号の
授受は、入力基板２ではなくて、対向基板３を用いて行うことができるようになり、その
結果、ＦＰＣ基板を含んだタッチパネル１の全体の取り扱いが非常に容易になった。
【００４５】
また、本実施形態では、図１において、配線１９を覆う絶縁性の樹脂膜２３を入力基板
２の表面に設けることにした。こうすれば、対向基板３上に設けられる発信子７ｘ，７ｙ
及びその他の信号波形成要素と、入力基板２上の配線１９とが短絡することを樹脂膜２３
によって防止できる。なお、本実施形態では、絶縁膜２３を入力基板２の全面に設けるこ
とにしたが、絶縁膜２３は配線１９を絶縁するのが主な目的であるので、絶縁膜２３は配
線１９を覆う一部の領域だけに設けるようにしても良い。
【００４６】
また、本実施形態では、図５に示すように、入力基板２の表面に設けられていてＸ発信
子７ｘに向かう配線１９は反射部材列１２ｄと平面的に見て重なる状態になっている。ま
た、Ｙ発信子７ｙに向かう配線１９は反射部材列１２ｃと平面的に見て重なる状態になっ
ている。このように、配線１９を反射部材列１２ｃ，１２ｄと平面的に重なるように設け
ることにすれば、配線１９が入力領域Ａ０に入って入力領域Ａ０が実質的に狭くなること
がなくなり、且つ、配線１９が額縁領域（すなわち、入力領域Ａ０の外側の周辺領域）に
入って額縁領域を広くせざるを得ないということもなくなる。つまり、配線１９と反射部
材列１２ｃ，１２ｄとを平面的に重ねて配置するようにした本実施形態によれば、タッチ
パネルの全体形状が一定に決められている場合に入力領域Ａ０を広くとることができ、逆
に、入力領域Ａ０の面積が一定に決められている場合にタッチパネルの全体形状を小型に
できる。
【００４７】
（その他の実施形態）
上記実施形態では図１に示す入力基板２を樹脂フィルムによって形成したが、本発明は
入力基板２が可撓性を有するガラス（例えば、厚さの薄いガラス）によって形成される場
合も含むものである。また、上記実施形態では、信号波として表面弾性波を用いたが、仮
に表面弾性波以外の信号波を使用可能であるならば、そのような信号波を用いることがで
きることは、もちろんである。
【００４８】
また、上記実施形態では図５に示すように、入力基板２の平面領域のうち受信子８ｘ，
８ｙの近傍の周縁領域に配線１９を集めて、その周縁領域内に配線１９の端子１８を配置
した。しかしながら、配線１９を集める領域は周縁領域内の他の任意の領域としても良い
。この場合には、配線１９の入力基板２の表面内での引き回し状態が配線１９を集める場
所に応じて種々に変化する。この場合にも、引き回される配線１９は反射部材列１２ａ〜
１２ｄと平面視で重なり合うことが望ましい。
【００４９】
（電気光学装置の第１実施形態）
次に、本発明に係る電気光学装置をその一実施形態を挙げて説明する。なお、本発明が
この実施形態に限定されるものでないことは、もちろんである。また、これからの説明で
は必要に応じて図面を参照するが、この図面では、複数の構成要素から成る構造のうち重
要な構成要素をわかり易く示すため、各要素を実際とは異なった相対的な寸法で示す場合
がある。
【００５０】
図６は、本発明に係る電気光学装置の一実施形態である液晶表示装置３１を分解状態で
示している。また、図７は、図６のＺ４−Ｚ４線に従った液晶表示装置３１の断面構造を
示している。図６において、液晶表示装置３１は、電気光学パネルとしての液晶パネル３
２と、この液晶パネル３２に実装された半導体要素としての駆動用ＩＣ３３と、照明装置
３４と、タッチパネル１とを有する。照明装置３４は、矢印Ａが描かれている観察側から
見て液晶パネル３２の背面側に配置されてバックライトとして機能する。
【００５１】
タッチパネル１は、基本的に図１に示したタッチパネル１と同じ構成である。但し、本
実施形態のタッチパネル１では、入力基板２が樹脂フィルムである第１偏光板によって形
成されている。この第１偏光板である入力基板２は液晶パネル３２の構成要素の１つとし
て機能するものである。
【００５２】
照明装置３４は、光源、具体的には点状光源としてのＬＥＤ（Light Emitting Diode）
３６と、ＬＥＤ３６から出射された点状の光を面状に変換して出射する導光体３７とを有
する。導光体３７は、例えば透光性の樹脂によって形成される。ＬＥＤ３６は、複数個、
本実施形態では３個設けられている。各ＬＥＤ３６から出た光は導光体３７の内部へ導入
され、その導光体３７の光出射面３７ｂから面状の光として出射して液晶パネル３２へ供
給される。なお、光源は、ＬＥＤ３６以外の点状光源や、冷陰極管等といった線状光源に
よって構成することもできる。また、導光体３７の光出射面３７ｂ及びその反対側の面に
は必要に応じて光反射膜、光拡散膜、その他の光学フィルムが設けられるが、図ではそれ
らの図示を省略している。
【００５３】
液晶パネル３２は、第１液晶パネル基板５１と、第２液晶パネル基板５２と、第１偏光
板として機能する入力基板２と、第２液晶パネル基板５２の下面に設けられた第２偏光板
２ｂとを有する。第１液晶パネル基板５１と第２液晶パネル基板５２は、矢印Ａ方向から
見て枠状のシール材５４によって貼り合わされている。第１液晶パネル基板５１は、透光
性を有するガラス、プラスチック等から成る基板上にフォトリソグラフィ処理等によって
所定の光学要素を形成することによって形成される。また、第２液晶パネル基板５２も、
透光性を有するガラス、プラスチック等から成る基板上にフォトリソグラフィ処理等によ
って所定の光学要素を形成することによって形成される。
【００５４】
第１偏光板２は入力基板としてタッチパネル１の中に組み込まれる。第２偏光板２ｂは
、第２液晶パネル基板５２の外側表面に、例えば貼着によって設けられる。第１偏光板（
入力基板）２の偏光軸と第２偏光板２ｂの偏光軸は液晶駆動モードに応じた所定の相対角
度に設定されている。
【００５５】
タッチパネル１は、液晶パネル３２を挟んで照明装置３４の反対側に配置される。この
タッチパネル１は、矢印Ａが描かれた観察側から平面的に見て枠状の接着部材４０によっ
て、液晶パネル３２に接着されている。また、このタッチパネル１に関しては、入力基板
２が矢印Ａで示す観察側に位置し、対向基板３が液晶パネル３２側に位置する。
【００５６】
図７に示すように、第１液晶パネル基板５１は、第２液晶パネル基板５２の一方の外側
へ張り出す張出し部５５を有する。駆動用ＩＣ３３は、例えば、ＡＣＦ（Anisotropic Co
nductive Film：異方性導電膜）を用いてＣＯＧ（Chip On Glass）技術によって張出し部
５５上に実装されている。
【００５７】
詳しい図示は省略するが、液晶パネル３２を構成する第１液晶パネル基板５１及び第２
液晶パネル基板５２は、それぞれ、互いに対向する表面に電極を有している。さらに、そ
れらの基板間には、図６に示すように、シール材５４によって形成された隙間、いわゆる
セルギャップに液晶が封入されて液晶層５６が形成される。照明装置３４から液晶パネル
３２へ面状の光が供給されるとき、液晶パネル３２の内部で互いに対向する一対の電極に
印加する電圧を画素ごとに制御することにより、液晶を通過する光を画素ごとに変調する
。こうして変調された光をタッチパネル１の第１偏光板（入力基板）２に通すことにより
、その偏光板２の光出射側に文字、数字、図形等といった像を表示する。これにより、矢
印Ａで示す観察側から液晶パネル３２の表示を観察することができる。
【００５８】
液晶パネル３２は任意の表示モードによって構成できる。例えば、液晶駆動方式でいえ
ば、単純マトリクス方式及びアクティブマトリクス方式のいずれであっても良い。また、
液晶モードの種別でいえば、ＴＮ（Twisted Nematic）、ＳＴＮ（Super Twisted Nematic
）、ＶＡ（Vertically Aligned：垂直配向）、ＥＣＢ（Electrically Controlled Birefr
ingence：電界制御複屈折モード）その他任意の液晶を用いることができる。また、採光
方式でいえば、反射型、透過型又は透過及び反射兼用の半透過反射型のいずれであっても
良い。
【００５９】
反射型とは、太陽光、室内光等といった外部光を液晶パネル３２の内部で反射させて表
示に用いる方式である。また、透過型とは、液晶パネル３２を透過する光を用いて表示を
行う方式である。また、半透過反射型とは、反射型表示と透過型表示の両方を選択的に行
うことができる方式である。なお、本実施形態では照明装置３４がバックライトとして設
けられているので、採光方式としては透過型又は半透過反射型が採用されていることにな
る。
【００６０】
単純マトリクス方式とは、各画素に能動素子を持たず、走査電極とデータ電極との交差
部が画素またはドットに対応し、駆動信号が直接に印加されるマトリクス方式である。こ
の方式に対する液晶モードとしては、ＴＮ、ＳＴＮ、ＶＡ、ＥＣＢモード等のうちのいず
れか１つが用いられる。次に、アクティブマトリクス方式とは、画素又はドットごとに能
動素子が設けられ、書き込み期間では能動素子がＯＮ状態となってデータ電圧が書き込ま
れ、他の期間では能動素子がＯＦＦ状態になって電圧が保持されるマトリクス方式である
。この方式で使用する能動素子には３端子型と２端子型がある。３端子型の能動素子には
、例えば、ＴＦＴ（Thin Film Transistor）がある。また、２端子型の能動素子には、例
えば、ＴＦＤ（Thin Film Diode）がある。
【００６１】
上記のような液晶パネル３２において、カラー表示を行う場合には、第１液晶パネル基
板５１又は第２液晶パネル基板５２にカラーフィルタが設けられる。カラーフィルタは、
特定の波長域の光を選択的に透過する複数のフィルタによって形成される。例えば、３原
色であるＢ（青），Ｇ（緑），Ｒ（赤）の１色ずつを基板上の各画素に対応させて所定の
配列、例えばストライプ配列、デルタ配列、モザイク配列で並べることによって形成され
る。
【００６２】
本実施形態の液晶表示装置３１はタッチパネル１として図１に示したタッチパネル１と
同じ構成のタッチパネルを用いたので、この液晶表示装置３１は図１のタッチパネル１が
奏することができる効果を同様に奏することができる。
例えば、図１において、発信子７ｘ，７ｙ及び受信子８ｘ，８ｙが設けられる対向基板
３と、配線１９が設けられる入力基板（第１偏光板）２とが別々の基板であるので、配線
１９を設ける領域を発信子７ｘ，７ｙ等に邪魔されること無く自由に決めることができ、
しかもタッチパネル１の額縁領域（図２の入力領域Ａ０の外側の周辺領域）を狭くするこ
とができる。
【００６３】
また、発信子７ｘ，７ｙによって励振される表面弾性波は対向基板３上を伝播し、入力
操作が行われる入力基板２上を伝播するのではないので、本実施形態において入力基板２
を樹脂である偏光板によって形成したとしても、表面弾性波を用いた位置検知処理に対し
て何らの悪影響も生じない。入力基板２を薄いガラスではなくて可撓性を有する樹脂によ
って形成すれば、樹脂はガラスに比べて破損の心配がないので、タッチパネル１の取り扱
い、ひいては液晶表示装置３１の取り扱いが非常に容易になる。
【００６４】
また、タッチパネル１の入力基板２を液晶パネル３２のための第１偏光板によって構成
すれば、タッチパネル付きの液晶表示装置の構成部品に関して、入力基板と偏光板とを共
用できるので、部品コスト及び製造コストを低減できる。
【００６５】
（その他の実施形態）
図６の実施形態は電気光学装置として液晶表示装置を例示したが、本発明は液晶表示装
置以外の電気光学装置に適用できる。例えば、有機ＥＬ装置、プラズマディスプレイ装置
等にも本発明を適用できる。
【００６６】
（電子機器の第１実施形態）
以下、本発明に係る電子機器を実施形態を挙げて説明する。なお、この実施形態は本発
明の一例を示すものであり、本発明はこの実施形態に限定されるものではない。
【００６７】
図８は、本発明に係る電子機器の一実施形態を示している。ここに示す電子機器は、電
気光学装置の一例である液晶表示装置１０１と、これを制御する制御回路１０２とを有す
る。制御回路１０２は、表示情報出力源１０５、表示情報処理回路１０６、電源回路１０
７及びタイミングジェネレータ１０８によって構成される。液晶表示装置１０１は、図６
に示す液晶表示装置３１によって構成される。すなわち、液晶表示装置１０１は、液晶パ
ネル３２、タッチパネル１、駆動用ＩＣ３３に含まれる駆動回路１０４によって構成され
る。
【００６８】
表示情報出力源１０５は、ＲＡＭ(Random Access Memory)等といったメモリや、各種デ
ィスク等といったストレージユニットや、ディジタル画像信号を同調出力する同調回路等
を備え、タイミングジェネレータ１０８により生成される各種のクロック信号に基づいて
、所定フォーマットの画像信号等といった表示情報を表示情報処理回路１０６に供給する
。
【００６９】
次に、表示情報処理回路１０６は、増幅・反転回路や、ローテーション回路や、ガンマ
補正回路や、クランプ回路等といった周知の回路を多数備え、入力した表示情報の処理を
実行して、画像信号をクロック信号ＣＬＫと共に駆動回路１０４へ供給する。ここで、駆
動回路１０４は、走査線駆動回路やデータ線駆動回路と共に、検査回路等を総称したもの
である。また、電源回路１０７は、上記の各構成要素に所定の電源電圧を供給する。
【００７０】
タッチパネル１はオペレータによる入力操作に応じて入力領域Ａ０内の位置を検知し、
その検視結果を位置信号として、例えば表示情報出力源１０５へ伝送する。表示情報出力
源１０５は伝送された位置信号に基づいて画像信号を演算する。
【００７１】
図６の液晶表示装置３１は、内蔵するタッチパネル１を小型に形成できることにより、
液晶表示装置３１それ自体も小型に形成できる。従って、この液晶表示装置３１を用いた
本実施形態の電子機器も小型に形成できる。また、タッチパネル１の入力基板２は薄いガ
ラスではなく樹脂フィルムによって形成されているので、液晶表示装置３１は製造が簡単
であり、取り扱いも容易である。従って、これを用いた本実施形態の電子機器も製造が簡
単であり、取り扱いも容易である。
【００７２】
（電子機器の第２実施形態）
図９は、本発明に係る電子機器の他の実施形態であるハンディターミナル２００を示し
ている。図９において、このハンディターミナル２００は、液晶表示装置２１１と、ファ
ンクションキー２０３と、電源入力スイッチ２０４とを有する。液晶表示装置２１１は、
タッチパネル２０１と、その下に配置された液晶パネル２０２とを有する。オペレータは
、ファンクションキー２０３に印刷されたアイコンや、液晶パネル２０４の画面を見なが
ら、タッチパネル２０１上の位置を押圧によって直接に指示することにより、データ入力
を行うことができる。
【００７３】
液晶表示装置２１１は図６に示す液晶表示装置３１によって構成されている。すなわち
、タッチパネル２０１は図１に示すタッチパネル１によって構成され、液晶パネル２０２
は図６の液晶パネル３２によって構成されている。図６の液晶表示装置３１は、内蔵する
タッチパネル１を小型に形成できることにより、液晶表示装置３１それ自体も小型に形成
できる。従って、この液晶表示装置３１を用いた本実施形態のハンディターミナル２００
も小型に形成できる。また、タッチパネル１の入力基板２は薄いガラスではなく樹脂フィ
ルムによって形成されているので、液晶表示装置３１は製造が簡単であり、取り扱いも容
易である。従って、これを用いた本実施形態の電子機器も製造が簡単であり、取り扱いも
容易である。
【００７４】
（その他の実施形態）
本発明は図９に示すようなハンディターミナルに限られず、種々の電子機器に適用でき
る。このような電子機器としては、例えば、携帯電話機、電子ブック、パーソナルコンピ
ュータ、ディジタルスチルカメラ、液晶テレビ、ビューファインダ型あるいはモニタ直視
型のビデオテープレコーダ、カーナビゲーション装置、ページャ、電子手帳、電卓、ワー
ドプロセッサ、ワークステーション、テレビ電話、ＰＯＳ端末等が考えられる。
【図面の簡単な説明】
【００７５】
【図１】本発明に係るタッチパネルの一実施形態を示す断面図である。
【図２】図１のタッチパネルの平面断面図である。
【図３】図２のＺ３−Ｚ３線に従った断面図である。
【図４】対向基板上の構成を示す平面図である。
【図５】入力基板上の構成を示す平面図である。
【図６】本発明に係る電気光学装置の一実施形態を分解状態で示す斜視図である。
【図７】図６のＺ４−Ｚ４線に従って電気光学装置の内部構造を示す断面図である。
【図８】本発明に係る電子機器の一実施形態を示すブロック図である。
【図９】本発明に係る電子機器の他の実施形態を示す斜視図である。
【符号の説明】
【００７６】
１．タッチパネル、  ２．入力基板（第１偏光板）、  ２ｂ．第２偏光板、
３．対向基板、  ４．接着材、  ６．スペーサ、  ７ｘ．Ｘ発信子、  ７ｙ．Ｙ発信子、
８ｘ．Ｘ受信子、  ８ｙ．Ｙ受信子、  １２ａ，１２ｂ，１２ｃ，１２ｄ．反射部材列、
１３．外部接続端子、  １４．ＦＰＣ基板、  １５．入力端子、  １６．配線、
１７．端子、  １８．端子、  １９．配線、  ２１．導通材、  ２２．指（入力手段）、
２３．絶縁性樹脂膜、  ３１．液晶表示装置（電気光学装置）、  ３２．液晶パネル、
３３．駆動用ＩＣ、  ４０．接着部材、  ５１．第１液晶パネル基板、
５２．第２液晶パネル基板、  ５４．シール材、  ５５．張出し部、  ５６．液晶層、
１０１．液晶表示装置（電気光学装置）、  ２００．ハンディターミナル（電子機器）、
２１１．液晶表示装置（電気光学装置）、  Ａ０．入力領域、  Ｗ．表面弾性波、
Ｐ０．押圧点
【図１】
2007264688.tif 000003
【図２】
2007264688.tif 000004
【図３】
2007264688.tif 000005
【図４】
2007264688.tif 000006
【図５】
2007264688.tif 000007
【図６】
2007264688.tif 000008
【図７】
2007264688.tif 000009
【図８】
2007264688.tif 000010
【図９】
2007264688.tif 000011